(57)【要約】【課題】レーザ発光素子からフレームへの放熱をスムーズに行わせることができ、かつ、受光素子に対して光スポットを適正に形成することのできる光ヘッド装置の製造方法を提供すること。【解決手段】光ヘッド装置１を製造する際、第１のレーザ発光素子４および第２のレーザ発光素子５については、フレームに対して金属製の取り付け部材を介して固定するので、放熱性が高い。また、第１のレーザ発光素子４をフレームに搭載した後、それに合わせて、受光素子２をフレームに搭載し、しかる後に、第２のレーザ発光素子４のフレームに搭載する。そして、リレーレンズ１６の光軸上の位置を調整する。【選択図】　　　図４
2004014007.tif 000002
【特許請求の範囲】
【請求項１】
第１のレーザ発光素子と、該第１のレーザ発光素子とは異なる波長のレーザ光を出射する第２のレーザ発光素子と、該第２のレーザ発光素子の出射光軸上に配置されたリレーレンズと、前記第１のレーザ発光素子から発射されたレーザ光、および前記第２のレーザ発光素子から前記リレーレンズを介して出射されたレーザ光を共通光路に導く光路合成用光学素子と、光記録媒体から前記共通光路を介して通ってくる戻り光が光路分離用光学素子を介して導かれてくる受光素子と、前記第１のレーザ発光素子、前記第２のレーザ発光素子、前記リレーレンズ、前記光路合成用光学素子、前記光路分離用光学素子、および前記受光素子が搭載されたフレームとを有する光ヘッド装置の製造方法において、
前記フレームに面接触する第１の取り付け部材を介して前記フレームに前記第１のレーザ発光素子を搭載し、
次に、前記第１のレーザ発光素子から出射されたレーザ光の戻り光を前記受光素子でモニターし、そのモニター結果に基づいて、前記受光素子を位置調整して前記フレームに搭載し、
次に、前記フレームに面接触する第２の取り付け部材を介して前記第２のレーザ発光素子を前記フレームに位置調整して搭載し、
しかる後に、前記第２のレーザ発光素子から出射されたレーザ光の戻り光を前記受光素子でモニターし、そのモニター結果に基づいて、前記リレーレンズの光軸上での位置調整を行うことにより前記受光素子上に形成される光スポットの光強度分布を調整することを特徴とする光ヘッド装置の製造方法。
【請求項２】
請求項１において、前記フレームに搭載された前記第１のレーザ発光素子から出射されたレーザ光をモニターし、そのモニター結果に基づいて、前記共通光路上の反射ミラーの位置あるいは傾きを調整することにより前記対物レンズに導かれるレーザ光束の光強度分布を調整することを特徴とする光ヘッド装置の製造方法。
【請求項３】
請求項１または２において、前記第１の取り付け部材および前記第２の取り付け部材はいずれも、前記フレームに面接触するプレートと、前記レーザ発光素子を保持した状態で前記プレートを介して前記フレームに搭載される素子ホルダとを備え、
前記素子ホルダと前記プレートとは、前記フレームに対する前記レーザ発光素子の出射光軸の傾きを切り替え可能な摺動曲面を介して接しており、
前記フレームに対して前記第１の取り付け部材および前記第２の取り付け部材を介して前記第１のレーザ発光素子および前記第２のレーザ発光素子を各々、搭載する際、前記摺動曲面において前記プレートに対して前記素子ホルダを摺動させて前記第１のレーザ発光素子および前記第２のレーザ発光素子の出射光軸の傾きを調整することにより前記対物レンズに導かれるレーザ光束の光強度分布を調整することを特徴とする光ヘッド装置の製造方法。
【請求項４】
請求項１ないし３のいずれかにおいて、前記第１のレーザ発光素子および前記第２のレーザ発光素子のうちの少なくとも一方のレーザ発光素子の出射方向側には、レーザ光を回折して０次回折光からなるメインビーム、および±１次回折光からなるサブビームに分割するグレーティング素子を備え、
前記受光素子を前記フレームに固定する前、あるいは固定した後、前記レーザ発光素子から出射されたレーザ光の戻り光を前記受光素子でモニターし、そのモニター結果において、当該受光素子の受光面に対して前記サブビームの位置が傾いているときには前記グレーティング素子の向きを調整することを特徴とする光ヘッド装置の製造方法。
【請求項５】
請求項１ないし３のいずれかにおいて、前記第１のレーザ発光素子および前記第２のレーザ発光素子のうちの少なくとも一方のレーザ発光素子の出射方向側には、レーザ光を回折して０次回折光からなるメインビーム、および±１次回折光からなるサブビームに分割するグレーティング素子を備え、
前記受光素子を前記フレームに固定する前、あるいは固定した後、前記レーザ発光素子から出射されたレーザ光の戻り光を前記受光素子でモニターし、そのモニター結果において、当該受光素子の受光面に対して前記メインビームと前記サブビームとの間隔がずれているときには前記グレーティング素子の光軸上の位置を調整することを特徴とする光ヘッド装置の製造方法。
【請求項６】
請求項１ないし５のいずれかにおいて、前記第１のレーザ発光素子はＤＶＤ用であり、前記第２のレーザ発光素子はＣＤおよびＣＤ−Ｒ用であることを特徴とする光ヘッド装置の製造方法。
【発明の詳細な説明】
【０００１】
【発明の属する技術分野】
本発明は、フレーム上にレーザ発光素子が搭載された光ヘッド装置における光強度分布の調整技術に関するものである。
【０００２】
【従来の技術】
ＣＤ（コンパクトディスク）やＤＶＤ（ディジタルバーサタイルディスク）などの光記録媒体の記録、再生に用いられる光ヘッド装置では、レーザダイオードなどのレーザ発光素子からの出射光を導光系を介して対物レンズに導き、対物レンズによって収束させた光を光記録媒体に収束させる。ここで、対物レンズや、対物レンズをトラッキング方向およびフォーカシング方向に駆動するレンズ駆動装置などは金属製あるいは樹脂製のフレームに搭載されているとともに、このフレームには、前記のレーザ発光素子、さらにはフォトダイオードなどの受光素子も搭載されている。ここで、レーザ発光素子は、従来、フレームに形成されている孔内に圧入することによりフレームに固定されている。
【０００３】
しかしながら、レーザ発光素子をフレームの孔内に圧入する構造では、レーザ発光素子の光軸調整を行うことができない。
【０００４】
そこで、近年は、レーザ発光素子をフレームから浮かせた状態でその間に接着剤を分厚く塗布してレーザ発光素子をフレーム固定する構造が採用されている。このような構造であれば、レーザ発光素子を任意の位置および姿勢で固定できる。
【０００５】
【発明が解決しようとする課題】
ここで、再生専用の光ヘッド装置であれば、レーザ発光素子の発熱が小さいので、レーザ発光素子をフレームから浮かせた状態で搭載しても支障はない。これに対して、光記録媒体に対して記録を行うような場合、記録時にはレーザ発光素子での発熱が大きいため、その熱をフレームに効率よく逃がす必要がある。
【０００６】
しかしながら、レーザ発光素子を浮いた状態でフレームに接着固定した場合には、レーザ発光素子とフレームとの間に接着剤が分厚く介在しているので、放熱効率が低く、レーザ発光素子での温度上昇が著しいという問題点がある。
【０００７】
以上の問題点に鑑みて、本発明の課題は、レーザ発光素子からフレームへの放熱をスムーズに行わせることができ、かつ、受光素子に対して光スポットを適正に形成することのできる光ヘッド装置の製造方法を提供することにある。
【０００８】
【課題を解決するための手段】
上記課題を解決するため、本発明では、第１のレーザ発光素子と、該第１のレーザ発光素子とは異なる波長のレーザ光を出射する第２のレーザ発光素子と、該第２のレーザ発光素子の出射光軸上に配置されたリレーレンズと、前記第１のレーザ発光素子から発射されたレーザ光、および前記第２のレーザ発光素子から前記リレーレンズを介して出射されたレーザ光を共通光路に導く光路合成用光学素子と、光記録媒体から前記共通光路を介して通ってくる戻り光が光路分離用光学素子を介して導かれてくる受光素子と、前記第１のレーザ発光素子、前記第２のレーザ発光素子、前記リレーレンズ、前記光路合成用光学素子、前記光路分離用光学素子、および前記受光素子が搭載されたフレームとを有する光ヘッド装置の製造方法において、前記フレームに面接触する第１の取り付け部材を介して前記フレームに前記第１のレーザ発光素子を搭載し、次に、前記第１のレーザ発光素子から出射されたレーザ光の戻り光を前記受光素子でモニターし、そのモニター結果に基づいて、前記受光素子を位置調整して前記フレームに搭載し、次に、前記フレームに面接触する第２の取り付け部材を介して前記第２のレーザ発光素子を前記フレームに位置調整して搭載し、しかる後に、前記第２のレーザ発光素子から出射されたレーザ光の戻り光を前記受光素子でモニターし、そのモニター結果に基づいて、前記リレーレンズの光軸上での位置調整を行うことにより前記受光素子上に形成される光スポットの光強度分布を調整することを特徴とする。
【０００９】
本発明では、フレームに対して面接触する取り付け部材を介して第１のレーザ発光素子および第２のレーザ発光素子をフレームに搭載するため、レーザ発光素子とフレームとの間に分厚い接着剤が介在していない。このため、光記録媒体への記録時にレーザ発光素子での発熱が大きくても、この熱は、取り付け部材を介してフレームに効率よく伝わるので、レーザ発光素子の温度上昇を抑えることができる。また、２つのレーザ発光素子を同一構造の取り付け部材によってフレームに固定するため、環境温度の影響が同等となって、温度変化に対する対策が容易である。さらに本発明では、第１の取り付け部材を介して第１のレーザ発光素子をフレームに搭載した後、それに合わせて、受光素子をフレームに搭載し、しかる後に、第２の取り付け部材を介して第２のレーザ発光素子をフレームに搭載する。このため、受光素子の位置に合わせて第２のレーザ発光素子を位置調整してフレームに搭載するが、本発明では、第２の取り付け部材を介して第２のレーザ発光素子をフレームに搭載するため、第２のレーザ発光素子については光軸上の位置を調整できない。しかるに本発明では、第２のレーザ発光素子に対して光軸上の位置調整をしない代わりに、リレーレンズの光軸上の位置を調整するので、受光素子上に形成される光スポットの光強度分布を調整するができる。それ故、レーザ発光素子からフレームへの放熱をスムーズに行わせることができ、かつ、受光素子に対して光スポットを適正に形成することができる。
【００１０】
本発明において、前記フレームに搭載された前記第１のレーザ発光素子から出射されたレーザ光をモニターし、そのモニター結果に基づいて、前記共通光路上の反射ミラーの位置あるいは傾きを調整することにより前記対物レンズに導かれるレーザ光束の光強度分布を調整することが好ましい。第１の取り付け部材を介して第１のレーザ発光素子をフレームに搭載した場合には、第１の取り付け部材の構造上の制約を受けて第１のレーザ発光素子の出射光軸の傾きや位置を調整するのが困難になるが、本発明では、そのような位置調整や傾き調整などを反射ミラーで行うため、レーザ発光素子については、放熱性を優先して取り付け部材を用いた搭載構造を採用しても支障がない。
【００１１】
本発明において、前記第１の取り付け部材および前記第２の取り付け部材はいずれも、前記フレームに面接触するプレートと、前記レーザ発光素子を保持した状態で前記プレートを介して前記フレームに搭載される素子ホルダとを備え、前記素子ホルダと前記プレートとは、前記フレームに対する前記レーザ発光素子の出射光軸の傾きを切り替え可能な摺動曲面を介して接しており、前記フレームに対して前記第１の取り付け部材および前記第２の取り付け部材を介して前記第１のレーザ発光素子および前記第２のレーザ発光素子を各々、搭載する際、前記摺動曲面において前記プレートに対して前記素子ホルダを摺動させて前記第１のレーザ発光素子および前記第２のレーザ発光素子の出射光軸の傾きを調整することにより前記対物レンズに導かれるレーザ光束の光強度分布を調整することが好ましい。このように構成すれば、放熱性を優先するという観点から取り付け部材を用いてレーザ発光素子をフレームに搭載する構造であっても、レーザ発光素子の出射光軸の傾きを調整することができる。
【００１２】
本発明において、前記第１のレーザ発光素子および前記第２のレーザ発光素子のうちの少なくとも一方のレーザ発光素子の出射方向側には、レーザ光を回折して０次回折光からなるメインビーム、および±１次回折光からなるサブビームに分割するグレーティング素子を備える場合、前記受光素子を前記フレームに固定する前、あるいは固定した後、前記レーザ発光素子から出射されたレーザ光の戻り光を前記受光素子でモニターし、そのモニター結果において、当該受光素子の受光面に対して前記サブビームの位置が傾いているときには前記グレーティング素子の向きを調整し、前記受光素子の受光面に対して前記メインビームと前記サブビームとの間隔がずれているときには前記グレーティング素子の光軸上の位置を調整すればよい。
【００１３】
本発明において、前記第１のレーザ発光素子はＤＶＤ用であり、前記第２のレーザ発光素子はＣＤおよびＣＤ−Ｒ用である。
【００１４】
【発明の実施の形態】
以下に図面を参照して本発明を適用した光ヘッド装置を説明する。
【００１５】
（光ヘッド装置の全体構成）
図１は、ＣＤ、ＣＤ−Ｒ、およびＤＶＤの記録再生を行う光ヘッド装置の斜視図である。図２は、図１に示す光ヘッド装置の平面図である。図３は、図１に示す光ヘッド装置の縦断面図である。図４は、図１に示す光ヘッド装置における光学系の平面的なレイアウトを示す説明図である。
【００１６】
図１および図２に示すように、本形態の光ヘッド装置１は、樹脂製あるいは金属製のフレーム３を有しており、このフレーム３は、機器に対して相互に平行となるように取り付けた２本のガイドシャフト（図示せず）が連結部３０１、３０２、３０３に通されていることにより、ガイドシャフトに沿って移動可能である。
【００１７】
このフレーム３の側面部３２、３３には、ＤＶＤ用の第１のレーザ発光素子４、およびＣＤ用の第２のレーザ発光素子５がそれぞれ搭載されている。ＤＶＤ用レーザ発光素子４はＤＶＤの記録再生用であり、波長６５０ｎｍあるいは６３５ｎｍのレーザ光を出射する。一方、ＣＤ用レーザ発光素子５は、ＣＤおよびＣＤ−Ｒの記録、再生用であり、波長７８０〜８００ｎｍのレーザ光を出射する。
【００１８】
フレーム３にはフレキシブル基板８が搭載され、このフレキシブル基板８の本体部８１には駆動用のＩＣ１０が実装され、この駆動用のＩＣ１０の上方位置には、フレーム３にネジ２２で止められた金属製の放熱板２１が被さっている。このため、ＩＣ１０で発生した熱は、放熱板２１を介して逃げる。しかも、ＩＣ１０および放熱板２１は、フレーム３の上面３１に配置され、この領域の上方位置で光記録媒体が回転する。従って、放熱板２１は、光記録媒体の回転によって発生した空気の流れによって効率よく熱を逃がすので、光ヘッド装置１の信頼性が高い。
【００１９】
フレーム３には、後述するように、受光素子、センサレンズ、コリメートレンズ、および立ち上げミラー（反射ミラー）などの光学素子が実装されており、立ち上げミラーの上方には、光記録媒体（図示せず）に向けてレーザ光を出射する対物レンズ９が配置されている。また、フレーム３には、対物レンズ９をフォーカシング方向およびトラッキング方向に駆動する対物レンズ駆動装置５０も搭載されている。対物レンズ駆動装置５０として、本形態では、軸摺動回動型の駆動装置が用いられている。
【００２０】
図３および図４において、光ヘッド装置１の光学系では、ＤＶＤ用の第１のレーザ光Ｌ１（長波長レーザ光）を出射する第１のレーザ発光素子４、およびＣＤ用の第２のレーザ光Ｌ２を出射する第２のレーザ発光素子５のほか、第１のレーザ発光素子４の出射光軸に沿って、第１のグレーティング素子１１、第１のプリズム１２、第２のプリズム１３、コリメートレンズ１４、立ち上げミラー１５（反射ミラー）がこの順に配置され、立ち上げミラー１５の上方に対物レンズ９が配置されている。ここで、第１のプリズム１２、第２のプリズム１３、コリメートレンズ１４、立ち上げミラー１５、対物レンズ９は、第１のレーザ光Ｌ１、第２のレーザ光、戻り光Ｌｒに対する共通光路を構成している。
【００２１】
第１のグレーティング素子１１は、所定の回折特性が付与されており、第１のレーザ発光素子４から出射された第１のレーザ光Ｌ１を３ビームに分割することにより、周知の３ビーム法またはＤＰＰ法によってトラッキングエラー検出を可能としている。
【００２２】
従って、第１のレーザ発光素子４から出射された第１のレーザ光Ｌ１は、第１のグレーティング素子１１で３ビームに分割された後、第１のプリズム１２の部分反射面、および第２のプリズム１３の部分反射面を透過した後、コリメートレンズ１４で平行光束に変換され、次に、立ち上げミラー１５によって対物レンズ９に導かれた後、対物レンズ９によって光記録媒体Ｄに収束される。
【００２３】
ここで、第２のプリズム１３は、部分反射面が第１のレーザ発光素子５から出射されたレーザ光Ｌ２の光軸に対して４５度傾斜した状態となるように配置された光路合成用プリズムであり、第２のプリズム１２の側方位置には、リレーレンズ１６、第２のグレーティング素子１７、第２のレーザ発光素子５がこの順に配置されている。
【００２４】
第２のグレーティング素子１７も、所定の回折特性が付与されており、ＣＤ用レーザ発光素子５から出射された第２のレーザ光Ｌ２を３ビームに分割することにより、周知の３ビーム法またはＤＰＰ法によってトラッキングエラー検出を可能としている。
【００２５】
従って、第２のレーザ発光素子５から出射された第２のレーザ光Ｌ２は、第２のグレーティング素子１７で３ビームに分割された後、リレーレンズ１６を透過し、次に、第２のプリズム１３の部分反射面で反射してコリメートレンズ１４に導かれ、コリメートレンズ１４で平行光束に変換された後、立ち上げミラー１５によって対物レンズ９に導かれ、第１のレーザ光Ｌ１と同様、対物レンズ９によって光記録媒体に収束される。
【００２６】
本形態において、第１のプリズム１２は、部分反射面が光記録媒体Ｄからの戻り光Ｌｒの光軸に対して４５度傾斜した状態となるように配置された光路分離用プリズムであり、第１のプリズム１２の側方位置には、センサーレンズ１８および受光素子２が配置されている。従って、光記録媒体Ｄからの戻り光Ｌｒは、対物レンズ９、立ち上げミラー１５、コリメートレンズ１４、第２のプリズム１３によって第１のプリズム１２まで導かれ、この第１のプリズムの部分反射面によって反射されて、センサーレンズ１８を介して受光素子２に到る。
【００２７】
センサーレンズ１８は、双方のレーザ光Ｌ１、Ｌ２の戻り光に対して非点収差を発生させるためのレンズであり、受光素子９によって検出されるレーザ光Ｌ１、Ｌ２の戻り光Ｌｒは、センサレンズ１８を通ることにより非点収差が付与される。このため、周知の通り、受光素子２に４分割受光面を形成しておくことにより、これらの分割受光面の光電流量からフォーカシング補正を行うことができる。
【００２８】
なお、図示を省略するが、例えば、第２のプリズム１３に対して第２のレーザ発光素子５とは反対側には共通のモニター用受光素子が配置されている。
【００２９】
［フレームへの搭載構造］
図５は、図１に示す光ヘッド装置に用いたフレームを斜め下方からみた説明図である。図６（Ａ）、（Ｂ）はそれぞれ、図１に示す光ヘッド装置において、フレームに取り付け部材を介して第１のレーザ発光素子を搭載した様子を示す側面図、および横断面図である。図７（Ａ）、（Ｂ）はそれぞれ、図１に示す光ヘッド装置において、フレームに取り付け部材を介して第２のレーザ発光素子を搭載した様子を示す側面図、および横断面図である。
【００３０】
フレーム３は、図５に斜め下方からみた様子を示すように、第１のレーザ発光素子Ｌ１を搭載する側面部３２、第２のレーザ発光素子５を搭載する側面部３３のほか、第１のプリズム１２の搭載部３４、第２のプリズム１３の搭載部３５、コリメートレンズ１３の搭載部３６、および立ち上げミラー１５の搭載部３７が形成されている。
【００３１】
本形態の光ヘッド装置１では、図５および図６（Ａ）、（Ｂ）に示すように、第１のレーザ発光素子４をフレーム３の側面部３２に搭載するための取り付け部材６０として、金属製の放熱性の高いプレート６１と、同じく金属製の放熱性の高い素子ホルダー６２とからなるものが用いられている。プレート６１は、フレーム３の側面部３２に面接着される板状部材であり、素子ホルダ６２は、その内側に第１のレーザ発光素子４を保持している。素子ホルダ６２は、前面部の両側が曲面６２１として形成されている一方、プレート６１の側には、素子ホルダ６２の曲面６２１を受ける凹部６１１が形成されており、素子ホルダ６２は、曲面６２１および凹部６１１の内面を摺動面６０１として回転可能である。
【００３２】
また、プレート６１は、フレーム３の側面部３２に沿って面内方向（矢印Ｘ１およびＹ１で示す方向）の位置を調整可能なサイズに形成されている。従って、第１のレーザ発光素子４は、フレーム３の側面部３２の面内方向に沿って矢印Ｘ１、Ｙ１で示す方向に位置調整可能であるとともに、素子ホルダ６２を摺動面６０１で摺動させることにより、矢印Ｒ１で示すように、水平方向での回転が可能である。
【００３３】
再び図５において、第２のレーザ発光素子５の搭載部分の内側は、第２のグレーティング素子１７を円筒形のホルダ１７０に装着した状態で搭載可能な断面半円形の大きな溝３８になっており、かつ、溝３８の両側には、リレーレンズ１６を保持したレンズホルダ１６０の両端部分に対する支持部３９が平坦面として形成されている。このため、第２のグレーティング素子１７は、矢印Ｚ２で示すように光軸方向に位置調整可能であるとともに、矢印Ｒ６で示すように、光軸周りに回転可能である。また、センサーレンズ１７は、矢印Ｚ４で示すように、光軸方向に位置調整可能である。
【００３４】
なお、第１のグレーティング素子１１も、例えば、第２のグレーティング素子１７と同様、円筒形のホルダ１１０に保持されており、矢印Ｚ１で示すように光軸方向に位置調整可能であるとともに、矢印Ｒ７で示すように、光軸周りに回転可能である。
【００３５】
ここで、図５および図７（Ａ）、（Ｂ）に示すように、第２のレーザ発光素子５については、第１のレーザ発光素子４と同様、第２のレーザ発光素子５をフレーム３の側面部３３に搭載するための取り付け部材７０として、プレート７１と素子ホルダー７２からなるものが用いられている。プレート７１は、フレーム３の側面部３３に面接着される板状部材であり、素子ホルダ７２は、その内側に第２のレーザ発光素子５を保持している。素子ホルダ７２は、前面部の両側が曲面７２１として形成されている一方、プレート７１の側には、素子ホルダ７２の曲面７２１を受ける凹部７１１が形成されており、素子ホルダ７２は、曲面７２１および凹部７１１の内面を摺動面７０１として回転可能である。
【００３６】
また、プレート７１は、フレーム３の側面部３３に沿って面内方向（矢印Ｘ２およびＹ２で示す方向）の位置を調整可能なサイズである。従って、第２のレーザ発光素子５は、フレーム３の側面部３３の面内方向に沿って矢印Ｘ２、Ｙ２で示す方向に移動可能であるとともに、素子ホルダ７２を摺動面７０１で摺動させることにより、矢印Ｒ２で示すように、水平方向での回転が可能である。
【００３７】
このように本形態では、２つのレーザ発光素子４、５を同一構造の取り付け部材６０、７０によってフレーム３に固定しているため、環境温度の影響が同等であるので、温度変化に対する対策が容易である。
【００３８】
なお、図４に矢印Ｚ３で示すように、センサレンズ１８も、光軸方向に位置調整可能である。
【００３９】
［光ヘッド装置の製造方法］
図８（Ａ）〜（Ｄ）は、図１に示す光ヘッド装置において対物レンズに導かれたレーザ光束の強度分布についての説明図である。図９は、図１に示す光ヘッド装置において受光素子にメインビームおよびサブビームがスポットを形成した様子を示す説明図である。
【００４０】
本形態の光ヘッド装置１を製造するにあたって、第１のレーザ発光素子４については、まず、第１のレーザ発光素子４を発光させ、それを対物レンズ９を介してモニターしながら、プレート６１を素子ホルダ６２とともにフレーム３の側面部３２に沿って２軸方向（Ｘ１方向およびＹ１方向）に位置調整する。
【００４１】
すなわち、本形態の取り付け部材６０は、放熱性を考慮してフレーム３に対して取り付け部材６０が面接触する構成であるため、フレーム３の面内方向においては位置を調整できる。
【００４２】
この際、対物レンズ９では、図８（Ａ）に示すように、対物レンズ９の中心９０と光束の中心Ｌ０とが一致すれば、図８（Ｂ）、（Ｃ）に示すように、光記録媒体Ｄのトラックに対して好適な光強度分布のスポットを形成でき、かつ、受光素子２に対しても好適な光強度分布のスポットを形成できる。
【００４３】
従って、モニター結果に基づいて、図８（Ｄ）に示すように、対物レンズ９の中心９０（設計上の光束の中心）から光束の中心Ｌ０が光軸が距離β分、ずれている場合には、まず、立ち上げミラー１５を光軸上の位置あるいは傾きを調整して、対物レンズ９の中心９０に光束の中心Ｌ０を合わせる。
【００４４】
このように本形態では、取り付け部材６０を介して第１のレーザ発光素子４をフレーム３に搭載するので、取り付け部材６０の構成の制約を受けて、第１のレーザ発光素子４の出射光軸の傾きや位置を調整するのが困難であるが、そのような位置調整や傾き調整などを立ち上げミラー１５で行うため、第１のレーザ発光素子４については、取り付け部材６０を用いた搭載構造を採用して放熱性を優先しても支障がない
また、図８（Ｄ）に示すように、第１のレーザ発光素子４の出射光軸が水平方向で角度α分、傾いていて対物レンズ９の中心９０から光束の中心Ｌ０がずれている場合には、プレート６１に対して素子ホルダ６２を矢印Ｒ１で示すように摺動、回転させて第１のレーザ発光素子４の出射光軸の傾きを調整することにより、対物レンズ９の中心９０に光束の中心Ｌ０を合わせる。
【００４５】
このように、本形態で用いた取り付け部材６０では、素子ホルダ６１とプレート６２が摺動曲面６０１を介して接しているため、放熱性を優先して取り付け部材６０を用いた搭載構造であっても、第１のレーザ発光素子４の出射光軸の傾きを調整することができる。
【００４６】
このような調整の後、プレート６１をフレーム３の側面部３２に接着固定するとともに、素子ホルダ６２をプレート６１に接着固定する。
【００４７】
このようにして第１のレーザ発光素子４をフレーム３に固定した後、第１のレーザ発光素子４を発光させ、その戻り光を受光素子２でモニターし、そのモニター結果に基づいて、受光素子２をフレーム３に対して最適な位置に接着固定する。
【００４８】
ここで、受光素子２では、図９に示すように、０次回折光からなるメインビームＬ１１のスポットが形成される４分割受光面２０１と、±１次回折光からなるサブビームＬ１２のスポットが形成される２つの２分割受光面２０２とが形成されている。従って、受光素子２でのモニター結果において、受光面２０１、２０２に対してサブビームＬ１２の位置が角度γ分、傾いているときにはグレーティング素子１１の向きを調整する。
【００４９】
また、受光面２０１、６０２に対してメインビームＬ１１とサブビームＬ１２の間隔Ｇ１、Ｇ、がずれているときにはグレーティング素子１１の光軸上の位置を調整する。このような調整は、受光素子２をフレーム３に対して接着固定する前、接着固定した後のいずれのタイミングで行ってもよい。
【００５０】
次に、第２のレーザ発光素子５についても、第１のレーザ発光素子４と同様、第２のレーザ発光素子５を発光させ、それを対物レンズ９を介してモニータする。この際、立ち上げミラー１５の位置についてはすでに調整済みであるが、第２のレーザ発光素子５の出射光軸が水平方向で角度α分、傾いていて、対物レンズ９の中心９０から光束の中心Ｌ０がずれている場合がある。この場合には、プレート７１に対して素子ホルダ７２を矢印Ｒ２で示すように摺動、回転させて第２のレーザ発光素子５の出射光軸の傾きを調整することにより、対物レンズ９の中心９０に光束の中心Ｌ０を合わせる。
【００５１】
また、第２のレーザ発光素子５から出射された第２のレーザ光Ｌ２の戻り光を受光素子２でモニターし、そのモニター結果において、第２のレーザ発光素子５の光軸がそれに直交する方向にずれている場合には、プレート７１を素子ホルダ７２とともにフレーム３の側面部３３に沿って２軸方向（Ｘ２方向およびＹ２方向）に位置調整する。
【００５２】
すなわち、取り付け部材７０も、放熱性を考慮してフレーム３に対して取り付け部材７０が面接触する構成であるが、フレーム３の面内方向においては取り付け部材７０の位置を調整できる。
【００５３】
このような調整の後、プレート７１をフレーム３の側面部３３に接着固定するとともに、素子ホルダ７２をプレート７１に接着固定する。
【００５４】
このようにして第２のレーザ発光素子５をフレーム３に固定した後、第２のレーザ発光素子５から出射された第２のレーザ光Ｌ２の戻り光を受光素子２でモニターする。そのモニター結果において、第２のレーザ発光素子５の光軸上の位置がずれて焦点が合っていない場合、第２のレーザ発光素子５については取り付け部材７０でフレーム３の側面部３３に固定するため第２のレーザ発光素子５の光軸上の位置を調整することができないが、本形態では、リレーレンズ１６を矢印Ｚ２で示すように光軸上で移動させ、あるいはセンサレンズ１８を矢印Ｚ３で示すように光軸上で移動させ、第２のレーザ発光素子５と受光素子２との焦点合わせを行う。
【００５５】
この際も、受光素子２で、図９に示すように、受光面２０１、２０２に対してサブビームＬ１２の位置が最適位置から角度γ分、傾いているときにはグレーティング素子１１の向きを調整する。これに対して、受光面２０１、２０２に対してメインビームＬ１１とサブビームＬ１２の間隔Ｇ１、Ｇ、がずれているときにはグレーティング素子１１の光軸上の位置を調整する。このような調整は、第２のレーザ発光素子５をフレーム３に対して固定する前、固定した後のいずれのタイミングで行ってもよい。
【００５６】
［その他の実施の形態］
上記形態では、レーザ発光素子４、５をフレーム３に搭載するための取り付け部材６０、７０として、プレート６１、７１と素子ホルダー６２、７２とからなるものを用いたが、図８を参照して説明した水平方向の光軸の傾き補正が不要な場合には、図１０に示すように、フレーム３に面接触する一枚の金属製のプレートからなる取り付け部材６０、７０を用い、この取り付け部材６０、７０に形成されている素子装着孔にレーザ発光素子４、５を装着する構成を採用してもよい。
【００５７】
【発明の効果】
以上説明したように、本発明では、フレームに対して面接触する取り付け部材を介して第１のレーザ発光素子および第２のレーザ発光素子をフレームに搭載するため、レーザ発光素子とフレームとの間に分厚い接着剤が介在していない。このため、光記録媒体への記録時にレーザ発光素子での発熱が大きくても、この熱は、取り付け部材を介してフレームに効率よく伝わるので、レーザ発光素子の温度上昇を抑えることができる。また、２つのレーザ発光素子を同一構造の取り付け部材によってフレームに固定するため、環境温度の影響が同等であるので、温度変化に対する対策が容易である。さらに本発明では、第１の取り付け部材を介して第１のレーザ発光素子をフレームに搭載した後、それに合わせて、受光素子をフレームに搭載し、しかる後に、第２の取り付け部材を介して第２のレーザ発光素子をフレームに搭載する。このため、受光素子の位置に合わせて第２のレーザ発光素子を位置調整してフレームに搭載するが、本発明では、第２の取り付け部材を介して第２のレーザ発光素子をフレームに搭載するため、第２のレーザ発光素子については光軸上の位置を調整できない。しかるに本発明では、第２のレーザ発光素子に対して光軸上の位置調整をしない代わりに、リレーレンズの光軸上の位置を調整するので、受光素子上に形成される光スポットの光強度分布を調整するができる。それ故、レーザ発光素子からフレームへの放熱をスムーズに行わせることができ、かつ、受光素子に対して光スポットを適正に形成することができる。
【図面の簡単な説明】
【図１】本発明を適用した光ヘッド装置の斜視図である。
【図２】図１に示す光ヘッド装置の平面図である。
【図３】図１に示す光ヘッド装置の縦断面図である。
【図４】図１に示す光ヘッド装置における光学系の平面的なレイアウトを示す説明図である。
【図５】図１に示す光ヘッド装置に用いたフレームを斜め下方からみた説明図である。
【図６】（Ａ）、（Ｂ）はそれぞれ、図１に示す光ヘッド装置において、フレームに取り付け部材を介して第１のレーザ発光素子を搭載した様子を示す側面図、および横断面図である。
【図７】（Ａ）、（Ｂ）はそれぞれ、図１に示す光ヘッド装置において、フレームに取り付け部材を介して第２のレーザ発光素子を搭載した様子を示す側面図、および横断面図である。
【図８】（Ａ）〜（Ｄ）は、図１に示す光ヘッド装置において対物レンズに導かれたレーザ光束の強度分布についての説明図である。
【図９】図１に示す光ヘッド装置において受光素子にメインビームおよびサブビームがスポットを形成した様子を示す説明図である。
【図１０】図１に示す光ヘッド装置においてフレームにレーザ発光素子を取り付けるのに使用可能な取り付け部材の変形例を示す説明図である。
【符号の説明】
１　光ヘッド装置
２　受光素子
３　フレーム
４　ＤＶＤ用の第１のレーザ発光素子
５　ＣＤ用の第２のレーザ発光素子
８　フレキシブル基板
９　対物レンズ
１０　駆動用のＩＣ
１１　第１のグレーティング素子
１２　第１のプリズム
１３　第２のプリズム
１４　コリメートレンズ
１５　立ち上げミラー（反射ミラー）
１６　リレーレンズ
１７　第２のグレーティング素子
３２、３３　フレームの側面部
５０　対物レンズ駆動装置
６０、７０　レーザ発光素子の取り付け部材
６１、７１　プレート
６２、７２　素子ホルダー
２０１、２０２　分割受光面
６０１、７０１　摺動面
６２１、７２１　素子ホルダの曲面
６１１、７１１　プレートの凹部
Ｄ　光記録媒体
Ｌ１　ＤＶＤ用の第１のレーザ光
Ｌ２　ＣＤ用の第２のレーザ光
Ｌｒ　戻り光
１８　センサレンズ
【図１】
2004014007.tif 000003
【図２】
2004014007.tif 000004
【図３】
2004014007.tif 000005
【図４】
2004014007.tif 000006
【図５】
2004014007.tif 000007
【図６】
2004014007.tif 000008
【図７】
2004014007.tif 000009
【図８】
2004014007.tif 000010
【図９】
2004014007.tif 000011
【図１０】
2004014007.tif 000012